(57)【特許請求の範囲】
【請求項１】
急速に屋内設計方案を実現する方法は以下を含む：
手順１）モデルルームの設計、各ルームのタイプによって機能エリアの分割設定を行い、各機能エリアを、大、中、小３寸法とデザイナー設計スタイルで設計し；
手順２）それぞれデザイナーの設計したモデルルーム、機能エリアの作成方式、記録方式では簡単なシステムに簡単なプロトコルルールによって簡単に作成されたコンピューターの説明言語と関数式に記録して作成し；
手順３）設計されたモデルルームを関数言語と計算式に変換してクラウドプラットフォームに伝送し、且つクラウドプラットフォームによって世界各地における実体店の簡単なソフトウェアに同期させ；
手順４）ルームのタイプにより実体の店で機能エリアの大きさと位置を調整し、モデルルームを選び、コンピューターにて設計されたモデルルームの設計関数と式を三次元に変換して表示させる。
【請求項２】
前記機能エリアの分割設置では、モデルルームを設計、調整する時に、操作しやすさのため、モデルルームの各設計エリアに対してモジュール化処理設計を行うことを特徴とする請求項１に記載された急速に屋内設計方案を実現する方法。
【請求項３】
異なる顧客様のニーズを満たすため、前記した機能エリアにスタイルが同じである大、中、小設計方案を採用し、完全にした設計方案を形成することを特徴とする請求項１に記載された急速に屋内設計方案を実現する方法。
【請求項４】
前記設計スタイルの異なるモデルルームが関数言語と計算式に変換してクラウドプラットフォームに伝送後、顧客様のルームのタイプによって実体店に機能エリアの大きさや位置を調整すると、すぐに三次元効果が実現することを特徴とする請求項１に記載された急速に屋内設計方案を実現する方法。
【請求項５】
前記三次元表示は、コンピューターがモジュール化された機能エリアを全体的に三次元効果にする計算方法であり、ユーザがある設計スタイルのモデルルーム（又は番号）を選択すると、コンピューターがすぐに該スタイルのモデルルームを計算し、且つデザイナーのスタイルに変換して立体的に表示し、別のスタイルを持つモデルルームを選択すると、すぐに計算して別のスタイルを持つ三次元効果に変換することを特徴とする請求項１に記載された急速に屋内設計方案を実現する方法。
【発明の詳細な説明】
【技術分野】
【０００１】
本発明は、急速に屋内設計方案を実現する方法に関する。
【背景技術】
【０００２】
屋内設計では、建物の使用性質、所在環境と相応標準に基づき、物質の技術手段と建築の設計原理を利用して合理な機能を有し、快適できれい、人々の物質と精神生活の需要を満たす屋内環境を作ることである。従来的屋内設計プロセスは、設計準備、方案設計、施工図設計と設計実施段階を含み、この設計手段では、デザイナーの精力を多く費やし、設計時間が長い、顧客様の自主的選択肢が比較的少ない、効果図の表示視角が十分ではない。現代社会に対して、従来的屋内設計方案の不足を改善し、快速に三次元の屋内設計方案を実現することが特に重要である。
【発明の概要】
【発明が解決しようとする課題】
【０００３】
本発明は、急速に屋内設計方案を実現する方法を開発する。本発明は、各ルームのタイプによって設計エリアをタイプの異なる機能エリアに分割して設置する、各スタイルは大、中、小３種類のモデルルームに設計し、モデルルームの調整と三次元表示を図る。それに、本発明はクラウドプラットフォームによってデザイナーの設計されたスタイルの異なるモデルルームを関数言語と計算式に変換してクラウドプラットフォームに伝送し、且つクラウドプラットフォームによって世界各地における実体店の簡単なソフトウェアに同期させる。お客様のルームのタイプにより実体の店で機能エリアの大きさと位置を調整すると、すぐに三次元効果が表示される。
【課題を解決するための手段】
【０００４】
本発明の提供した技術方案は以下の通りである。
【０００５】
急速に屋内設計方案を実現する方法であり、以下の手順を含む：
【０００６】
手順１）モデルルームの設計、各ルームのタイプによって機能エリアの分割設定を行い、各機能エリアを、大、中、小３寸法とデザイナー設計スタイルで設計する。
【０００７】
手順２）それぞれデザイナーの設計したモデルルーム、機能エリアの作成方式、記録方式では簡単なシステムに簡単なプロトコルルールによって簡単に作成されたコンピューターの説明言語と関数式に記録して作成する。
【０００８】
手順３）設計されたモデルルームを関数言語と計算式に変換してクラウドプラットフォームに伝送し、且つクラウドプラットフォームによって世界各地における実体店の簡単なソフトウェアに同期させる。
【０００９】
手順４）ルームのタイプにより実体の店で機能エリアの大きさと位置を調整し、モデルルームを選び、コンピューターにて設計されたモデルルームの設計関数と式を三次元に変換して表示させる。
【００１０】
好ましいのは、前記した機能エリアの分割設置では、モデルルームを設計・調整する時に、操作しやすさのため、モデルルームの各設計エリアに対してモジュール化処理設計を行う。
【００１１】
好ましいのは、前記した機能エリアはスタイルが同じである大中小３種類の設計方案を採用し、完全にした設計方案を形成し、顧客様の異なるニーズを満たす。
【００１２】
好ましいのは、前記した設計スタイルの異なるモデルルームが関数言語と計算式に変換してクラウドプラットフォームに伝送後、顧客様のルームのタイプによって実体店に機能エリアの大きさや位置を調整すると、すぐに三次元効果が実現する。
【００１３】
好ましいのは、前記した三次元表示では、コンピューターがモジュール化された機能エリアを全体的に三次元効果にする計算方法である。ユーザはある設計スタイルのモデルルーム（又は番号）を選択すると、コンピューターがすぐに該スタイルのモデルルームを計算し、且つデザイナーのスタイルに変換して立体的に表示する、別のスタイルを持つモデルルームを選択すると、すぐに計算して別のスタイルを持つ三次元効果に変換する。
【発明の効果】
【００１４】
本発明は、急速に屋内設計方案を実現する方法を開発する。本発明は、各ルームのタイプによって設計エリアをタイプの異なる機能エリアに分割して設置する、各スタイルは大、中、小３種類のモデルルームに設計し、モデルルームの調整と三次元表示を図る。それに、本発明はクラウドプラットフォームによってデザイナーの設計されたスタイルの異なるモデルルームを関数言語と計算式に変換してクラウドプラットフォームに伝送し、且つクラウドプラットフォームによって世界各地における実体店の簡単なソフトウェアに同期させる。ルームのタイプにより実体の店で機能エリアの大きさと位置を調整し、モデルルームを選択すると、コンピューターは設計されたモデルルームの設計関数と式を三次元に変換してすぐに表示する。ユーザは、再度別のスタイルを持つモデルルームの名称（又は番号）を選択すると、コンピューターはすぐに該モデルルームを計算して別のデザイナースタイルを持つ三次元効果に変換する、別のスタイルを持つモデルルームを選択すると、すぐにデザイナースタイルの三次元効果に変換する、まだ別のスタイルを持つモデルルームを選択すると、急速に計算して別のスタイルを持つ三次元効果に変換する、この機能では、異なる商品を選択する時に異なるデザインスタイルを表示する必要があり、且つすぐに表示したい場合に使い、転覆的な変化を実現することができる。
【図面の簡単な説明】
【００１５】
【図１】図１は、本発明の前記した方法による実施例におけるモデルルーム設計の構造概略図である。
【図２】図２は、本発明の前記した方法においてモデルルームを各実体店に伝送するプロセス概略図である。
【図３】図３は、本発明の前記した方法による実施例におけるルームタイプ機能エリア分割概略図であるである。
【図４】図４は、本発明の前記した方法においてモデルルームの設計スタイルを三次元効果に表示する概略図である。
【図５】図５は、本発明の前記した方法による実施例における応接間ソファーエリアの３種類大きさのサイズ概略図である。
【図６】図６は、本発明の前記した方法においてモデルルームの設計スタイルを三次元効果に表示する概略図である。
【図７】図７は、本発明の前記した方法と従来的方法との比較概略図である。
【図８】図８は、本発明実施２の構造概略図である。
【図９】図９は、本発明実施３の構造概略図である。
【図１０】図１０は、本発明の前記した実施例におけるモデルルームのスタイルを急速に交換する概略図である。
【発明を実施するための形態】
【００１６】
本業界の技術員は、説明書を参考して実施することができるよう図面と合わせて本発明をより詳しく説明する。
【００１７】
本発明は、急速に屋内設計方案を実現する方法であり、以下の手順を含む。
【００１８】
手順１）モデルルームの設計、各ルームのタイプによって機能エリアの分割設定を行い、各機能エリアを、大、中、小３寸法とデザイナー設計スタイルで設計する。（図１をご参照。）
【００１９】
手順２）それぞれデザイナーの設計したモデルルーム、機能エリアの作成方式、記録方式では簡単なシステムに簡単なプロトコルルールによって簡単に作成されたコンピューターの説明言語と関数式に記録して作成する。
【００２０】
手順３）設計されたモデルルームを関数言語と計算式に変換してクラウドプラットフォームに伝送し、且つクラウドプラットフォームによって世界各地における実体店の簡単なソフトウェアに同期させる。（図２をご参照。）
【００２１】
手順４）ルームのタイプにより実体の店で機能エリアの大きさと位置を調整し、モデルルームを選び、コンピューターにて設計されたモデルルームの設計関数と式を三次元に変換して表示させる。（図３と図４をご参照。）
【００２２】
上記手順１）において、各モデルルームは、ルーム、ルームにおける機能エリア、ルームにおける機能エリア大中小寸法とデザイナーの設計とスタイル４部分含まれる。そのうち、ルームは、応接間、バスルーム、ベッドルーム、キッチン、オフィス、ホテル、レストラン、モルとＫＴＶルームが含まれる。
【００２３】
各部屋に相応の機能エリアを設置し、機能エリアは以下を含む：
【００２４】
（１）応接間：１．レストラン展示エリア  ２．カーテンエリア  ３．ソファーエリア  ４．テレビエリア  ５．レストランエリア  ６．玄関エリア  ７．下駄箱エリア  ８．円卓エリア
【００２５】
（２）バスルーム：１．バスルーム装飾エリア  ２．洗面器エリア  ３．座便器エリア  ４．シャワーエリア  ５．浴槽エリア
【００２６】
（３）ベッドルーム：１．ベッドエリア  ２．タンスエリア  ３．カーテンエリア  ４．レジャーエリア
【００２７】
（４）キッチン：１．キッチンの小さい装飾エリア  ２．キッチンの中等装飾エリア  ３．キッチンの大きい装飾エリア
【００２８】
（５）オフィス：１．フロント受付エリア  ２．相談エリア  ３．会議エリア  ４．従業員作業エリア  ５．エンジンルーム  ６．貯蔵エリア  ７．ティールーム
【００２９】
（６）ホテルホール：１．入り口フロントホールエリア  ２．フロント受付エリア  ３．レストランエリア  ４．レジャーエリア  ５．待合せエリア  ６．バーエリア  ７．エレベーター待つエリア  ８．ホテル装飾エリア
【００３０】
（７）レストラン：１．入り口フロントホールエリア  ２．レジエリア  ３．待合せエリア  ４．ソファーエリア  ５．円卓エリア６．ボックス席エリア  ７．通路エリア  ８．ワインバーエリア  ９．お手洗いエリア
【００３１】
（８）モル：  １．入り口フロントホールエリア  ２．レジエリア  ３．レジャーエリア  ４．エレベーターエリア  ５．展覧棚エリア６．活動エリア  ７．バーエリア  ８．デザートエリア
【００３２】
（９）ＫＴＶ：  １．入り口フロントホールエリア  ２．フロント受付エリア  ３．レジャーエリア  ４．エレベーターエリア  ５．通路エリア６．バーエリア
【００３３】
図５のように、それは部屋における応接間ソファーエリアにおける機能エリア設置の大中小寸法である。各モデルルームの設計スタイルは、モジュール化処理によって設計モジュールになり、設計モジュールは、コンピューターの説明言語と関数式によるデーター記録であり、顧客様の部屋に配置して内部計算により、三次元の設計方案をすぐに表示することができる。
【実施例１】
【００３４】
モデルルームにおいて、応接間にはレストラン展示エリア、カーテンエリア、ソファーエリア、テレビエリア、レストランエリア、玄関エリア、下駄箱エリア円卓エリアなど機能エリアの大中小３寸法があり、デザイナー設計は、壁、床造型の組み合わせた設計が含まれ、各設計スタイルにおけるそれぞれ機能エリアの設置に大中小３寸法があり、顧客様は実体店で間取りの大きさによって応接間における各機能エリアの大中小３寸法の一つと配置位置を選択しながら、選択するスタイルを決める。図６のように、選択されたモデルルームをコンピューターによって計算すると、すぐに三次元効果が表示される、ユーザは別のスタイルを持つモデルルームを選択した場合、コンピューターはすぐに計算して別のスタイルを持つ三次元表示に変換する。
【００３５】
図７のように、この方法ではモデルルームの設計したコンピューターの説明言語と関数式のデーター記録を呼び出している、従来的設計方法と比べ、保存する設計と設計モジュールのデーター量が少ない。                                    
【実施例２】
【００３６】
図８のように、本発明のモデルルームにおいて、応接間のカーテンエリアは、大中小３寸法が設置してあり、各設計スタイルにおける応接間カーテンエリアの設計では大中小３寸法が含まれ、カーテンエリアの設計モジュールにおいて、カーテンと窓、カーテンと掛け絵、カーテンと壁板との関係を記録している。顧客様の部屋にこのモデルルームのカーテンエリアを使う場合、顧客様の部屋における窓の大きさによってコンピューターにてカーテンの寸法を変化させる。カーテンエリアにおける掛け絵について、コンピューターは顧客様の部屋における窓から壁までの中心点を探して計算する。それと同じように、窓から壁までの距離によって壁板を計算する。顧客様は実体店で間取りの大きさによって応接間カーテンエリアにおける大中小３寸法の一つを選択して配置位置を決め、そして選択されたスタイルを確定し、選択されたモデルルームを顧客様の間取りに置き、応接間におけるカーテンエリアの設計モジュールを呼び出して計算すると、すぐに三次元効果が表示される、この方法ではモデルルームの設計したコンピューターの説明言語と関数式のデーター記録を呼び出している、従来的設計方法と比べ、保存する設計と設計モジュールのデーター量が少ない。
【実施例３】
【００３７】
図９のように、本発明のモデルルームにおいて、バスルーム浴槽エリアに大中小３寸法が設置してあり、各設計スタイルにおけるバスルーム浴槽エリアは大中小３寸法を設置している。バスルーム浴槽エリアの設計モジュールにおいて、該浴槽の名称、敷設された造型タイルの番号、タイルの名称を記録している、該モデルルームの機能エリアを顧客様のバスルームに使う場合、浴槽は自動的に設計された説明言語によって伸縮する、浴槽の寸法延伸後、コンピューターは関数式によって使ったことのあるタイルを呼び出して該浴槽に張る。顧客様は実体店で間取りの大きさによってバスルームの浴槽における大中小３寸法の一つを選択して配置位置を決め、そして選択するスタイルを決め、選択されたモデルルームを顧客様の間取りに置き、バスルームソファーを呼び出してモジュールを設計して計算すると、すぐに三次元効果が表示される、且つ、デザイナーの設計したスタイルの異なるモデルルームは、コンピューターの説明言語と関数式のデーター記録を呼び出すことにより、すぐに同一な顧客様の部屋に設計スタイルの変換を実現することができる。スタイルを変換する時に、機能エリアの関連したデーターは、自動的に調整することができる。
【００３８】
機能エリアを設置してモデルルームを設計し、機能エリアに対してモジュール化処理を行い、データー保存量が少ない。顧客様は自分の間取りによって機能エリアを選択する時に、すぐに三次元効果を表示することができる。
【００３９】
本発明は、設計エリアを機能エリアに分割して設置する、各スタイルは大、中、小３種類のモデルルームに設計し、モデルルームの調整と三次元表示を図る。それに、本発明はクラウドプラットフォームによってデザイナーの設計されたスタイルの異なるモデルルームと顧客がクラウドプラットフォームにおけるモデルルームを修正して新しいモデルルームを形成し、クラウドプラットフォームに伝送する、そしてクラウドプラットフォームによって世界各地における実体店の簡単なソフトウェアに同期させる。ルームのタイプにより実体の店で機能エリアの大きさと位置を調整し、モデルルームを選択すると、コンピューターは設計されたモデルルームの設計関数と式を三次元に変換してすぐに表示する。別のスタイルを持つモデルルームを選択すると、すぐに別のスタイルを持つモデルルームを選択すると、急速に計算して別のスタイルを持つ三次元効果に変換する、この機能では、異なる商品を選択する時に異なるデザインスタイルを表示する必要があり、且つすぐに表示したい場合に使い、転覆的な変化を実現することができる。
【００４０】
図１０は、本発明の前記した実例におけるモデルルームのスタイル急速交換概略図であり、上記のように本発明の実施例を示したが、単に説明書と実施例に限定されるものではない、本発明は、完全に本発明に適する様々な分野に適する、本分野を熟知している人間に対し、簡単に修正することができる、そのため、本発明の特許請求及び同等範囲に限定された一般的な概念を逸脱しない前提の下で、本発明は、特定の詳細とここで表示・説明した図例に限定しない。
【図１】
0005958843.tif 000002
【図２】
0005958843.tif 000003
【図３】
0005958843.tif 000004
【図４】
0005958843.tif 000005
【図５】
0005958843.tif 000006
【図６】
0005958843.tif 000007
【図７】
0005958843.tif 000008
【図８】
0005958843.tif 000009
【図９】
0005958843.tif 000010
【図１０】
0005958843.tif 000011